Podtech/llm-jp-corpus-v4-ja_patent huggingface dataset:
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
無菌水を用いた濯ぎを行わないで、微生物学的に汚染された表面、特に医療機器を処理するための、任意的に腐食防止剤、緩衝剤成分、錯化剤、湿潤剤および／または他の補助物質もしくは活性物質と共に、化学殺菌剤を含有する水性溶液の人工的ＵＶ照射によって得られる作用物質の使用であって、
ａ）前記表面を上記の第１の作用物質で除染し、次に
ｂ）前記表面を、非分解性成分を含まない他の作用物質で処理し、ここで
ｃ）上記他の作用物質中の殺菌剤の割合が上記第１の作用物質中の殺菌剤の割合よりも低い、使用。
【請求項２】
化学殺菌剤が、任意的に他の補助物質もしくは活性物質および／または水と共に、オゾン、二酸化塩素、次亜塩素酸ナトリウム、次亜塩素酸、過酸化水素、有機過酸または無機過酸またはそれらの組合せより選択されることを特徴とする、請求項１に記載の使用。
【請求項３】
前記有機過酸が以下
ａ）次の一般式Ｉ：
Ｒ2−Ｏ2Ｃ−（ＣＨ2）x−ＣＯ3Ｈ  （Ｉ）
［式中、Ｒ2 は水素または１ないし４炭素原子数を有するアルキル基であり、ｘは１ないし４の数である。］の過酸または過酸の塩、および／または
ｂ）過カルボン酸部分が１ないし１８炭素原子数を有するフタルイミド過カルボン酸（II）、および／または
ｃ）次の式III：
Ｒ1−ＣＯ3Ｈ  （III）
［式中、Ｒ1 は１ないし１８炭素原子数を有するアルキル基またはアルケニル基である。］の化合物、
より選択されることを特徴とする、請求項２に記載の使用。
【請求項４】
ａ）存在する一般式Ｉの過酸が、Ｒ2 が水素またはメチル基である過酸であり、および／または
ｂ）存在する過酸が、過カルボン酸部分が１ないし８炭素原子数を有するフタルイミド過カルボン酸であり、および／または
ｃ）存在する一般式III の過酸が、１ないし１２炭素原子数を有するアルキル基またはアルケニル基をもった過酸であることを特徴とする、請求項３に記載の使用。
【手続補正書】
【提出日】平成16年2月19日(2004.2.19)
【手続補正１】
【補正対象書類名】特許請求の範囲
【補正対象項目名】請求項１６
【補正方法】変更
【補正の内容】
【請求項１６】
薬理学的嗜癖物質または酩酊性物質、特にアルコール症の療法のための方法であって、請求項１〜８のいずれかに記載の活性成分の組み合わせを投与することを特徴とする、前記方法。
【手続補正書】
【提出日】平成16年4月2日(2004.4.2)
【手続補正１】
【補正対象書類名】特許請求の範囲
【補正対象項目名】全文
【補正方法】変更
【補正の内容】
【特許請求の範囲】
【請求項１】
チタン酸バリウム系粉末の製造方法であり、該方法は、
塩化バリウム(ＢａＣｌ２)と四塩化チタン(ＴｉＣｌ４)の混合水溶液を、シュウ酸(Ｈ２Ｃ２Ｏ４) 水溶液にノズルによって高速噴射することによって沈殿させ、熟成させ、濾過し、洗浄して、バリウムチタニルシュウ酸塩[ＢａＴｉＯ(Ｃ２Ｏ４)２・４Ｈ２Ｏ]の結晶を得る工程；
前記得られたバリウムチタニルシュウ酸塩の結晶にアンモニア、アミン、アンモニウム化合物及びアミノ酸の中から選択された窒素含有添加剤を加えた後、ビーズミル(beads mill)を用いて湿式粉砕し、乾燥し、熱分解して、チタン酸バリウム(ＢａＴｉＯ３)粉末を製造する工程；及び
前記得られたチタン酸バリウム粉末を再粉砕する工程
からなることを特徴とする、チタン酸バリウム系粉末の製造方法。
【請求項２】
前記窒素含有添加剤は、バリウムチタニルシュウ酸塩のモル数に対して０．５〜２０モル％の範囲内で使用することを特徴とする、請求項１に記載のチタン酸バリウム系粉末の製造方法。
【請求項３】
前記アミンは、化学式１
【化１】
2005500239.tif 000001
(式中、Ｒ１、Ｒ２及びＲ３は、各々水素原子または炭素数１〜５のアルキル基である。) 
で表されることを特徴とする、請求項１に記載のチタン酸バリウム系粉末の製造方法。
【請求項４】
前記アミンは、メチルアミン、ジメチルアミン、トリメチルアミン、ジエチルアミン及びトリエチルアミンからなる群より選択されることを特徴とする、請求項３に記載のチタン酸バリウム系粉末の製造方法。
【請求項５】
前記アンモニウム化合物は、化学式２
【化２】
2005500239.tif 000002
(式中、Ｒ１、Ｒ２及びＲ３は、各々水素原子または炭素数１〜５のアルキル基であり；ｎは、１、２または３の整数であって、ｎ＝１の場合、Ａはヒドロキシル基、硝酸基、重炭酸基、Ｃ１〜Ｃ１０のカルボキシル基であり、ｎ＝２の場合、Ａは硫酸基、炭酸基、Ｃ２〜Ｃ１０のジカルボキシル基であり、ｎ＝３の場合、Ａは燐酸基である。)
で表されることを特徴とする、請求項１に記載のチタン酸バリウム系粉末の製造方法。
【請求項６】
前記アンモニウム化合物は、水酸化アンモニウム、炭酸アンモニウム、酢酸アンモニウム、燐酸アンモニウム、シュウ酸アンモニウム、重炭酸アンモニウム及びトリメチルアンモニウムヒドロキシドからなる群より選択されることを特徴とする、請求項５に記載のチタン酸バリウム系粉末の製造方法。
【請求項７】
前記アミノ酸は、アルギニン及びリジンからなる群より選択されることを特徴とする、請求項１に記載のチタン酸バリウム系粉末の製造方法。
【請求項８】
前記窒素含有添加剤と共に、二価又は四価の金属を使用することを特徴とする、請求項１に記載のチタン酸バリウム系粉末の製造方法。
【請求項９】
前記二価の金属は、Ｍｇ、Ｃａ、Ｓｒ及びＰｂからなる群より少なくとも１種以上選択されることを特徴とする、請求項８に記載のチタン酸バリウム系粉末の製造方法。
【請求項１０】
前記四価の金属は、Ｚｒ、Ｈｆ及びＳｎからなる群より少なくとも１種以上選択されることを特徴とする、請求項８に記載のチタン酸バリウム系粉末の製造方法。
【請求項１１】
前記添加剤は、前記金属の酸化物、炭酸塩、塩化物及び硝酸塩の中から選択されることを特徴とする、請求項８乃至請求項１０のいずれか一つの請求項に記載のチタン酸バリウム系粉末の製造方法。
【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
画像取り込み装置の画像取り込みエリア内のコンピュータ制御表示エリアの位置を決定するための方法であって、
前記表示エリア内に複数の選択された画像を表示するステップと、
それぞれが前記表示された選択された画像の１つを含む、前記画像取り込み装置の前記取り込みエリア内の複数の画像を取り込むステップと、
前記複数の取り込まれた画像に対応する画像データから建設的および破壊的フィードバックデータを得るステップと、
を含む方法。
【請求項２】
前記複数の選択された画像を表示するステップが、関連する単一輝度グレイスケール値をそれぞれが有する複数の選択された画像を表示するステップを含む、請求項１に記載の方法。
【請求項３】
前記複数の選択された画像を表示するステップが、第１の単一輝度グレイスケール値Ｉ1を有する第１の選択された画像を表示するステップと、第２の単一輝度グレイスケール値Ｉ2を有する第２の選択された画像を表示するステップと、第３の単一輝度グレイスケール値Ｉ3を有する第３の選択された画像を表示するステップと、を含み、ここで、Ｉ2＞Ｉ1＞Ｉ3である、請求項２に記載の方法。
【請求項４】
前記第２の単一輝度グレイスケール値が、最大輝度レベルおよび最小輝度レベルのうちの一方に対応し、前記第３の単一輝度グレイスケール値が、前記最大輝度レベルおよび前記最小輝度レベルのうちの他方に対応し、前記第１の単一輝度グレイスケール値が、前記最大輝度値と前記最小輝度値との間の値である、請求項３に記載の方法。
【請求項５】
前記複数の選択された画像を表示するステップが、第１の領域が、対応する輝度値Ｉ2を有し、第２の領域が、対応する輝度値Ｉ3を有するように、前記第２の選択された画像および前記第３の選択された画像のそれぞれを表示するステップを含む、請求項３に記載の方法。
【請求項６】
前記画像データから建設的および破壊的フィードバックデータを得るステップが、
前記取り込みエリアに関連する画素アレイ内に前記第１の選択された画像を含む前記複数の取り込まれた画像のうちの第１の取り込まれた画像に対応する画像データを格納するステップと、
前記第２の選択された画像を含む、前記複数の取り込まれた画像のうちの第２の取り込まれた画像に対応する画像データに応じて、および前記第３の選択された画像を含む、前記複数の取り込まれた画像のうちの第３の取り込まれた画像に対応する画像データに応じて、前記画素アレイ内の画素値を増加および減少させるステップのうちの一方と、
を含む、請求項３に記載の方法。
【請求項７】
前記画素値は、第１の所定の一定値だけ増加され、前記画素値は、第２の所定の一定値だけ減少される、請求項６に記載の方法。
【請求項８】
前記取り込みエリア内の前記表示エリアに対応する画素値が、前記建設的なフィードバックデータを生成するように増加され、前記表示エリアに対応しない画素値が、前記破壊的なフィードバックデータを生成するように減少される、請求項６に記載の方法。
【請求項９】
前記画素値を増加および減少させるステップが、前記第１の取り込まれた画像の取り込まれた画像データを前記第２および第３の取り込まれた画像のそれぞれに対応する画像データと比較し、比較結果に応じて増加および減少させるステップをさらに含む、請求項６に記載の方法。
【請求項１０】
前記比較は、前記第１の取り込まれた画像データの画素値を前記第２および第３の取り込まれた画像データのそれぞれの対応するノイズ調整された画素値と比較するステップをさらに含み、前記ノイズ調整された画素値は、元の画素値にノイズ因子値を加えたものから構成される、請求項９に記載の方法。
【請求項１１】
前記表示エリアは、投影スクリーンであり、前記画像取り込み装置は、デジタルカメラである、請求項６に記載の方法。
【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  ｐＤＣ２細胞からのＩＦＮ−αの産生を選択的に誘導する化合物の同定方法であって、
−  炎症性サイトカイン産生細胞とｐＤＣ２細胞の両方を含む細胞集団を取得することと、
−  前記細胞集団を試験化合物に接触させることと、
−  前記試験化合物に接触させた前記細胞集団中に存在するＩＦＮ−αの量を測定することと、
−  前記試験化合物に接触させた前記細胞集団中に存在する炎症性サイトカインの量を測定することと、
−  前記試験化合物との接触後にＩＦＮ−αが、前記細胞集団中に存在する炎症性サイトカインの量よりも少なくとも３倍の量だけ前記細胞集団中に存在する場合に、前記試験化合物をＩＦＮ−αの選択誘導物質として同定することとを含む、化合物の同定方法。
【請求項２】  ｐＤＣ２細胞からのＩＦＮ−αの産生を選択的に誘導する化合物の同定方法であって、
−  炎症性サイトカイン産生細胞とｐＤＣ２細胞の両方を含む細胞集団を取得することと、
−  前記細胞集団を試験化合物に接触させることと、
−  前記集団中に存在するｐＤＣ２細胞を同定し、ＩＦＮ−αがｐＤＣ２細胞によって産生されることをフローサイトメトリーで判別することと、
−  前記細胞集団中での炎症性サイトカインの産生をフローサイトメトリーで判別することと、
−  ｐＤＣ２細胞以外の前記集団中に存在するすべての細胞で産生される炎症性サイトカインがわずかなレベルである場合に、前記試験化合物をＩＦＮ−αの選択誘導物質として同定することとを含む、化合物の同定方法。
【請求項３】  ＩＦＮ−αに反応する患者の病気に影響を及ぼす方法であって、
−  炎症性サイトカイン産生細胞とｐＤＣ２細胞の両方を含む細胞集団を取得することと、
−  前記細胞集団を試験化合物に接触させることと、
−  前記試験化合物に接触させた前記細胞集団中に存在するＩＦＮ−αの量を測定することと、
−  前記試験化合物に接触させた前記細胞集団中に存在する炎症性サイトカインの量を測定することと、
−  前記試験化合物との接触後にＩＦＮ−αが、前記細胞集団中に存在する炎症性サイトカインの量よりも少なくとも３倍の量だけ前記細胞集団中に存在する場合に、前記試験化合物をＩＦＮ−αの選択誘導物質として同定することと、
−  前記同定済み選択化合物を患者に投与して患者の病気に影響を及ぼすことからなるステップを含む、病気に影響を及ぼす方法。
【請求項４】  ｐＤＣ２細胞を含んでいる細胞集団からＩＦＮ−αの産生を選択的に誘導する方法であって、前記細胞集団を、ｐＤＣ２細胞によるＩＦＮ−αの産生を選択的に誘導する免疫応答変更因子化合物と接触させることを含む、選択的に誘導する方法。
【手続補正書】
【提出日】平成17年4月21日(2005.4.21)
【手続補正１】
【補正対象書類名】特許請求の範囲
【補正対象項目名】請求項１
【補正方法】変更
【補正の内容】
【請求項１】
空気蒸留による酸素および／または窒素の高圧製造のための設備であって、蒸留される大気空気を圧縮するのに適切な１次空気圧縮手段（３）、前記１次圧縮手段を駆動する膨張手段（４）、空気予備冷却手段（５）、水およびＣＯ2 について空気を精製する手段（６）、圧縮された空気が蒸留され得る温度に圧縮された空気を冷却するのに適切な１次熱交換ライン（７）、液体酸素および／または液体窒素を製造するＮ（Ｎ＞１）個の並列の空気蒸留ユニット（８）、少なくとも１の高圧まで液体酸素および／または液体窒素をポンプ加圧する手段（９）、気体酸素および／または窒素を製造するためにポンプ加圧された液体酸素および／またはポンプ加圧された液体窒素を気化させる高圧に伝熱流体を圧縮するのに適切な２次圧縮手段（１０）を備え、前記２次圧縮手段（１０）が電気モーター（１１）により駆動され、前記設備が交流発電機（１３）を駆動する補助タービン（１２）を備え、その交流発電機は電気モーター（１１）に電流を供給することを特徴とする設備。
【手続補正書】
【提出日】平成15年9月1日(2003.9.1)
【手続補正１】
【補正対象書類名】特許請求の範囲
【補正対象項目名】全文
【補正方法】変更
【補正の内容】
【特許請求の範囲】
【請求項１】
感知ブロックの共通の入力端子に入力信号を印加する入力ブロックと、
前記入力信号に応答して前記感知ブロックから感知された信号を受信する変換ブロックと、
を備えることを特徴とする装置。
【請求項２】
前記変換ブロックが、前記感知された信号に基づいて出力信号を提供するように接続されることを特徴とする請求項１に記載の装置。
【請求項３】
前記変換ブロックが、加速を示す部分的なパルス密度を有する信号を提供するように接続されることを特徴とする請求項１に記載の装置。
【請求項４】
前記入力ブロックが、第１のクロックの位相の間に前記共通の入力端子に第１の信号を、かつ第２のクロックの位相の間に第２の信号を与えるように接続されることを特徴とする請求項１に記載の装置。
【請求項５】
前記変換ブロックが、前記感知された信号を積分するように、かつ第１の出力信号及び第２の出力信号を提供するように構成されることを特徴とする請求項１に記載の装置。
【請求項６】
前記変換ブロックが、さらに前記第１の出力信号及び前記第２の出力信号を比較して出力信号を提供するように構成されることを特徴とする請求項５に記載の装置。
【請求項７】
前記変換ブロックが、前記入力ブロックに前記出力信号を与えるように接続されることを特徴とする請求項６に記載の装置。
【請求項８】
前記入力ブロックが第１の入力コンデンサ及び第２の入力コンデンサを備え、前記入力ブロックが第１の入力信号を前記第１の入力コンデンサを介して前記変換ブロックに、かつ第２の入力信号を前記第２の入力コンデンサを介して前記変換ブロックに送るように接続されることを特徴とする請求項１に記載の装置。
【請求項９】
前記入力ブロックが前記第１の入力信号を前記第１のコンデンサを介して提供し、前記第２の入力信号を前記第２のコンデンサを介して提供するように接続されることを特徴とする請求項８に記載の装置。
【請求項１０】
前記装置に与える１つ以上の電圧値を記憶する記憶ユニットをさらに備えることを特徴とする請求項１に記載の装置。
【請求項１１】
感知ブロックの共通入力端子に入力信号を送るステップと、
前記入力信号を送るステップに基づいて前記感知ブロックから感知された信号を受信するステップと、
前記感知された信号に基づいて信号を提供するステップと、
を含むことを特徴とする方法。
【請求項１２】
前記感知された信号に基づいてディジタル信号を提供するステップを含むことを特徴とする請求項１１に記載の方法。
【請求項１３】
加速を示す部分的なパルス密度を有する信号を提供するステップを含むことを特徴とする請求項１１に記載の方法。
【請求項１４】
第１のクロックの位相の間に前記共通入力端子に第１の信号を、かつ第２のクロックの位相の間に前記共通入力端子に第２の信号を提供するステップを含むことを特徴とする請求項１１に記載の方法。
【請求項１５】
前記第１の信号及び前記第２の信号を非重複クロックサイクルの間に前記共通入力端子に送るステップを含むことを特徴とする請求項１４に記載の方法。
【請求項１６】
前記感知された信号を積分して第１の出力信号及び第２の出力信号を提供するステップを含むことを特徴とする請求項１５に記載の方法。
【請求項１７】
前記第１の出力信号及び前記第２の出力信号を比較して出力信号を提供するステップを含むことを特徴とする請求項１６に記載の方法。
【請求項１８】
前記出力信号の少なくとも一部に基づいて前記第１の信号及び第２の信号を提供するステップを含むことを特徴とする請求項１７に記載の方法。
【請求項１９】
感知ブロックの第１のコンデンサ及び第２のコンデンサの共通端子に入力信号を送る入力ブロックと、
前記入力信号を与えることに呼応して前記感知ブロックから感知された信号を受信する変換ブロックと、
を備えることを特徴とする装置。
【請求項２０】
前記変換ブロックが前記感知された信号に基づいてディジタル信号を提供するように接続されることを特徴とする請求項１９に記載の装置。
【請求項２１】
前記入力ブロックが第１のクロックの位相の間に前記共通入力端子に第１の信号を、かつ第２のクロックの位相の間に第２の信号を与えるように接続されることを特徴とする請求項１９に記載の装置。
【請求項２２】
前記入力ブロックが第１の入力コンデンサ及び第２の入力コンデンサを備え、前記入力ブロックが第１の入力信号を前記第１の入力コンデンサを介して前記変換ブロックに、かつ第２の入力信号を前記第２の入力コンデンサを介して前記変換ブロックに送るように接続されることを特徴とする請求項１９に記載の装置。
【請求項２３】
前記変換ブロックが、
前記感知ブロックから前記感知された信号を受け取って、積分された信号を発生する積分器と、
前記積分された信号を受け取って出力信号を提供するコンパレータと、
前記出力信号を受け取ってラッチされた出力信号を提供するラッチと、
を備えることを特徴とする請求項１９に記載の装置。
【請求項２４】
前記感知回路に与える１つ以上の電圧値を記憶する記憶ユニットをさらに備えることを特徴とする請求項１９に記載の装置。
【請求項２５】
感知ブロックの共通入力端子に入力信号を与え、
前記入力信号を与える動作に呼応して前記感知ブロックから感知された信号を受け取り、
少なくとも一部が前記感知された信号に基づいて出力信号を提供する、
感知回路と、
少なくとも一部が前記感知回路からの前記出力信号に基づいて起動信号を提供する展開ブロックと、
を備えることを特徴とする拘束システム。
【請求項２６】
前記展開ブロックがエアバッグを動作させるための起動信号を提供するように接続されることを特徴とする請求項２５に記載の拘束システム。
【請求項２７】
前記感知回路が複数の非重複クロックを介してクロック動作されるように接続されることを特徴とする請求項２５に記載の拘束システム。
【請求項２８】
前記感知回路がディジタル信号を提供するように構成されることを特徴とする請求項２５に記載の拘束システム。
【請求項２９】
前記感知回路が加速を示す部分的なパルス密度を有する信号を提供するように接続されることを特徴とする請求項２５に記載の拘束システム。
【請求項３０】
前記感知回路に与える１つ以上の電圧値を記憶する記憶ユニットをさらに備えることを特徴とする請求項２５に記載の拘束システム。
【手続補正書】
【提出日】平成16年7月14日(2004.7.14)
【手続補正１】
【補正対象書類名】特許請求の範囲
【補正対象項目名】全文
【補正方法】変更
【補正の内容】
【特許請求の範囲】
【請求項１】
測定光をサンプル(15;15.1)に向けてまたはサンプル(15;15.2)から導光するための測定光学系を備えた光学分析器中の装置であって、
前記装置は、第１の凹面屈折要素(2;2')と第２の凹面屈折要素(5;5')とを含んで一方の前記要素から他方の前記要素へと光が伝播でき、
前記要素同士の中心を結ぶ接続線分は、前記第１要素(2;2')の主軸に対しては０を超える入射角を形成し、前記第２要素(5;5')の主軸に対しては、前記接続線分と前記第１要素の主軸によって定まる平面に対して直交する平面内で、同一の大きさを有する入射角を形成することを特徴とする装置。
【請求項２】
物体(1;1.1;11;1.1')から像（6;6.1;18;1.1';6'）を形成することを特徴とする請求項１に記載の装置。
【請求項３】
前記物体(1)は前記第１要素の曲率中心に配置されるか、または、前記物体(1.1;11;1.1')は前記第１要素の焦点に配置されることを特徴とする請求項２に記載の装置。
【請求項４】
点状物体(1;1.1;11;1.1')から像（6;6.1;18;6'）を形成することを特徴とする請求項２または３に記載の装置。
【請求項５】
前記第１要素(2;2';40a)の焦点面に存在する物体(1;1.1;11)から像(6.1;18)を形成することを特徴とする請求項３または４に記載の装置。
【請求項６】
前記凹面屈折要素は球面鏡(2,5;2',5')かまたは凹面回折格子(40;40a,40b)であることを特徴とする請求項１から５のいずれか１つに記載の装置。
【請求項７】
前記凹面屈折要素は球面鏡であり、前記入射角は５〜２０°、特に１０〜１５°であるか、または、前記凹面屈折要素は凹面回折格子であり、前記入射角は２０〜６０°、特に３０〜５０°であることを特徴とする請求項５に記載の装置。
【請求項８】
光は前記凹面屈折要素同士の間の制限器を通過することを特徴とする請求項１から７のいずれか１つに記載の装置。
【請求項９】
少なくとも１つの前記屈折要素は、遮蔽リム(7)を備えていることを特徴とする請求項１から８のいずれか１つに記載の装置。
【請求項１０】
光度計、蛍光光度計、または発光光度計中にあることを特徴とする請求項１から９のいずれか１つに記載の装置。
【請求項１１】
測定光をサンプル(15;15.1)に向けてまたはサンプル(15;15.2)から導光するための装置を伴う測定光学系を備えた光学分析器であって、
前記測定光学系は、第１の凹面屈折要素(2)と第２の凹面屈折要素(5)とを含んで一方の前記要素から他方の前記要素へと光が伝播でき、
前記要素同士の中心を結ぶ接続線分は、前記第１要素(2)の主軸に対しては０を超える入射角を形成し、前記第２要素(5)の主軸に対しては、前記接続線分と前記第１要素の主軸によって定まる平面に対して直交する平面内で、同一の大きさを有する入射角を形成することを特徴とする光学分析器。
【請求項１２】
前記測定光学系は、前記測定光学系へ導光するための入力アパーチャ(11)かまたは前記測定光学系から導光するための出力アパーチャ(18)を備えたハウジング内に配置されていることを特徴とする請求項１１に記載の光学分析器。
【請求項１３】
前記測定光を案内して前記入力アパーチャ(11)中に点状物体を形成する光源光学系(10)を含むか、または、前記測定光学系は前記出力アパーチャ(18)中に点状の像を形成することを特徴とする請求項１２に記載の光学分析器。
【請求項１４】
前記測定光学系は、光を前記測定光学系からサンプルに向けてまたはサンプルから前記測定光学系へ案内するための窓(14)を備えたハウジング内に配置され、前記窓は、好ましくは前記窓を通過する光路に対して傾いて配置されることを特徴とする請求項１１から１３のいずれか１つに記載の光学分析器。
【請求項１５】
前記測定光学系は、導光のための平面鏡(13)を備えることを特徴とする請求項１１から１４のいずれか１つに記載の光学分析器。
【請求項１６】
鏡によって形成される光学系の像の比率は、０．５〜２：１、特に約１：１であることを特徴とする請求項１１から１５のいずれか１つに記載の光学分析器。
【請求項１７】
前記測定光を前記サンプル(15)へおよび前記サンプル(15)から導光し、前記サンプルへの前記測定光は励起光であり、前記サンプルからの前記測定光は放射光であることを特徴とする請求項１１から１６のいずれか１つに記載の光学分析器。
【請求項１８】
前記励起光および前記放射光は、互いに重なり合っていることを特徴とする請求項１７に記載の光学分析器。
【手続補正２】
【補正対象書類名】明細書
【補正対象項目名】０００９
【補正方法】変更
【補正の内容】
【０００９】
本発明の配置構成は、凹面鏡または回折格子のような２つの凹面屈折要素を含む。これらの要素の中心を結ぶ接続線分は、第１要素（第１の凹面屈折要素）の主軸に対しては０ではない入射角を形成し、第２要素（第２の凹面屈折要素）の主軸に対しては、第１要素の主軸とこの接続線分によって定まる平面に直交する平面において、同一の入射角を形成する。これによって、光学系の光軸外に存在する点の結像で発生する非点収差を解消することができる。
【手続補正３】
【補正対象書類名】明細書
【補正対象項目名】００３５
【補正方法】変更
【補正の内容】
【００３５】
図２に示す配置構成には、２つの同一半径（Ｒ）の凹状球面鏡、すなわち第１の鏡（第１の凹面屈折要素）２と第２の鏡（第２の凹面屈折要素）５が含まれている。物体１は、第１の鏡２の曲率中心、したがって第１の鏡からの距離がＲの地点に配置されている。鏡同士の間の距離は２Ｒであり、第１の鏡によって形成される像３、４が、第２の鏡に対する物体を構成する。第２の鏡は、第２の鏡からの距離がＲの地点に像６を形成する。第１の鏡は水平面内を回転する（すなわち、回転面は水平面である）。第２の鏡は、この水平面に直交する面内で同じ角度だけ回転する。
【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
少なくとも一つのジアミン化合物と少なくとも一つのジエステル二酸塩化化合物の重縮合によって得られたポリアミド酸エステルポリマー;
チタノセン光開始剤;
光架橋用添加剤;
1H−テトラゾール、1,2−シクロヘキサンジアミン四酢酸水和物、及び５−メルカプトベンズイミダゾールから選択される金属抑制剤;
重合抑制剤；
溶媒；並びに場合により、
一つまたはそれ以上の少なくとも一つの光増感剤化合物、及び少なくとも一つの接着促進化合物
からなる感光性ポリイミド前駆体組成物。
【請求項２】
チタノセン光開始剤が、ビス(.eta.5−2,4−シクロペンタジエン−1−イル)−ビス(2,6−ジフルオロ−3−(1H−ピロール−1−イル)フェニル)チタニウムおよびビス(メチルシクロペンタジエニル)−ビス(2,6−ジフルオロフェン−1−イル)チタニウムから選択される請求項１に記載の感光性ポリイミド前駆体組成物。
【請求項３】
チタノセン光開始剤並びに銅および銀から選択される金属の存在下での感光性ポリイミド前駆体組成物の光化学架橋の方法において、感光性ポリイミド前駆体組成物中に1H−テトラゾール、1,2−シクロヘキセンジアミン四酢酸水和物及び５−メルカプトベンズイミダゾールから選択された金属抑制剤を含ませることにより光化学架橋の抑制を減少させることを改良点とする、上記の方法。
【請求項４】
銅および銀から選択される金属の存在下での感光性ポリイミド前駆体組成物の光化学架橋の抑制を減少させる方法において、請求項１に記載のポリイミド前駆体組成物を光化学的に架橋させることを改良点とする、上記の方法。
【請求項５】
銅および銀から選択される金属の存在下での感光性ポリイミド前駆体組成物の光化学架橋の抑制を減少させる方法において、請求項２に記載のポリイミド前駆体組成物を光化学的に架橋させることを改良点とする、上記の方法。
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
少なくとも１つのチューブ組み立て体を含む光ファイバケーブルであって、この少なくとも１つのチューブ組み立て体は、
チューブと、
前記チューブ内に収納され、少なくとも一部が光ファイバの本数プロファイルが徐々に減少するように配列された光ファイバリボンを含む光ファイバリボンスタックと、
前記チューブの内径から前記光ファイバリボンスタックの最大対角長さを減算した値である対角自由スペースとを有し、
前記光ファイバリボンスタックの最大対角長さは、前記光ファイバリボンスタックの側面部サブグループの対角測定値あるいは前記光ファイバリボンスタックの中央部サブグループの対角測定値のいずれか大きい方の値であり、
前記対角自由スペースは、約０．５ｍｍと約５．０ｍｍの範囲内にあることを特徴とする光ファイバケーブル。
【請求項２】
少なくとも１つのチューブ組み立て体を含む光ファイバケーブルであって、このチューブ組み立て体は、
チューブと、
前記チューブ内に収納され、少なくとも一部が光ファイバの本数プロファイルが徐々に減少するように配列された光ファイバリボンを含む光ファイバリボンスタックと、
前記チューブの内径から前記光ファイバリボンスタックの最大対角長さを減算した値である対角自由スペースと、を有し、
前記光ファイバリボンスタックの最大対角長さは、前記光ファイバリボンスタックの側面部サブグループの対角測定値あるいは前記光ファイバリボンスタックの中央部サブグループの対角測定値のいずれか大きい方の値であり、
前記対角自由スペースは、約０．５ｍｍと約５．０ｍｍの範囲内にあり、
前記光ファイバケーブルは、約３５ｍｍ以下の外径を有することを特徴とする光ファイバケーブル。
【手続補正書】
【提出日】平成16年3月8日(2004.3.8)
【手続補正１】
【補正対象書類名】明細書
【補正対象項目名】０００８
【補正方法】変更
【補正の内容】
【０００８】
本発明によれば、基板と、各画素が液晶を制御する画素電極を有するこれら画素のアレイと、前記画素に接続され、互いにほぼ直交する行及び列方向で前記基板にまたがって延在する複数の行電極及び列電極と、前記画素のアレイと前記基板との間でこの基板にまたがって延在するドライバセルのサブアレイ（画素のアレイの下側のアレイ）であって、これらドライバセルの各々は、行電極又は列電極を駆動する少なくとも１つのドライバ回路を有している当該ドライバセルのサブアレイと、このドライバセルのサブアレイと前記画素のアレイとの間の絶縁層とを有し、前記ドライバセルのサブアレイにおけるドライバ回路の各々が、それぞれ前記絶縁層内に形成された対応する通路であって、当該ドライバ回路から行及び列電極の対応する１つに延在する当該通路を経て、行及び列電極の対応する１つに接続されている能動マトリックス液晶ディスプレイ用能動プレートを提供する。
【手続補正２】
【補正対象書類名】明細書
【補正対象項目名】００５０
【補正方法】変更
【補正の内容】
【００５０】
【図１】本発明による能動プレートの平面図である。
【図２】図１に示す能動プレートの線図的断面図である。
【図３】図１の能動プレートにおける１つの画素を拡大して示す平面図である。
【図４】ｎ×ｍの画素アレイを示す平面図である。
【図５】１６×１６の画素アレイに対する通路のパターンを示す平面図である。
【図６】ドライバセル中に行ドライバ及び列ドライバを有する他の実施例における１６×１２の画素アレイに対する通路の他のパターンを示す平面図である。
【図７】本発明による液晶ディスプレイの側面図である。
【図８】本発明による液晶ディスプレイに用いる能動プレートのアレイを示す平面図である。
【手続補正３】
【補正対象書類名】図面
【補正対象項目名】図４
【補正方法】変更
【補正の内容】
【図４】
2005500570.tif 000001
【手続補正書】
【提出日】平成16年4月19日(2004.4.19)
【手続補正１】
【補正対象書類名】特許請求の範囲
【補正対象項目名】全文
【補正方法】変更
【補正の内容】
【特許請求の範囲】
【請求項１】
貯蔵可能な分配準備ライブラリーを作製する方法が、
粘性の分配形成液を調製することと、
100万個までもしくはそれ以上の個々の化学物質、化合物の混合物または反応前混合物
を含んでいるコンビナトリアルマスターライブラリーからの物質サンプルを該分配形成液に混合することと
を含んでおり、このようにして形成される貯蔵可能な分配準備ライブラリーは、形成されるスポットが拡散せず、玉にもならず、長期間にわたり安定であるマイクロアレイを固体基体に形成できることと、
さらに該マスターライブラリーの化学成分は、粘性の分配形成液により創出される付着性による場合を除き、固体基体に、共有結合的にもそれ以外の化学的な結合によって結合していないことと
を特徴とする、貯蔵可能な分配準備ライブラリーを作製する方法。
【請求項２】
貯蔵可能な分配準備ライブラリーを作製し利用する方法が、
粘性の分配形成液を調製することと、
100万個までもしくはそれ以上の個々の化学物質、化合物の混合物または反応前混合物
を含んでいるコンビナトリアルマスターライブラリーからの物質サンプルを該分配形成液に混合することと
を含んでおり、このようにして形成される貯蔵可能な分配準備ライブラリーは、該分配準備ライブラリーの各スポットが拡散せず、玉にもならず、長期間にわたり安定な配置を維持できるように充分な表面張力を有するマイクロアレイを固体基体上に形成できることと、
さらに該マスターライブラリーの化学成分は、粘性の分配形成液により創出される付着性による場合を除き、固体基体に、共有結合的にもそれ以外の化学的な結合によって結合していないことを
を特徴とする、貯蔵可能な分配準備ライブラリーを作製し利用する方法。
【請求項３】
前記マスターライブラリーがペプチド、タンパク質、有機化合物、医薬品化合物、ＲＮＡ、ＤＮＡ、および細胞分画からなる群より選ばれる化合物を含むことを特徴とする請求項１または２に記載の方法。
【請求項４】
前記分配形成液が、グリセロール、エチレングリコール、ジメチルスルホキシドおよび水からなる群より選ばれる成分を少なくとも１つ含むことを特徴とする請求項１〜３のいずれかに記載の方法。
【請求項５】
前記分配形成液が少なくとも１つの揮発性成分を含むことを特徴とする請求項１〜４のいずれかに記載の方法。
【請求項６】
前記分配形成液が水と混和し、かつ１〜１０,０００センチポアズの粘度を有すること
を特徴とする請求項１〜5のいずれかに記載の方法。
【請求項７】
前記分配形成液が、ポリアルコール、増粘剤、糖類、およびポリアルキレングリコールポリマーからなる群より選ばれる化合物を少なくとも１つ、さらに含むことを特徴とする請求項１〜６のいずれかに記載の方法。
【請求項８】
固体基体と、
100万個までもしくはそれ以上の個々の化学物質、化合物の混合物または反応前混合物
を含んでいるコンビナトリアルマスターライブラリーおよび粘性の分配形成液の混合物を含有する該基体上の複数のスポットとを
含むマイクロアレイであり、
該分配形成液は、拡散せず、玉にもならない配置でスポットを保持するために充分な表面張力を有しており、さらに、
該コンビナトリアルマスターライブラリーの化学成分は、分配形成液によって創出された付着による場合を除いて、該基体に対し、共有結合したり、他の方法で化学的に結合したりしない
ことを特徴とするマイクロアレイ。
【請求項９】
前記分配形成液がグリセロール、エチレングリコール、ジメチルスルホキシド、および水からなる群より選ばれる少なくとも１つの化合物を含み、
前記マイクロアレイは、１つ以上の試薬が該マイクロアレイ上に接触しており、発見または測定プロセスおよびそれに続く反応に適していることを特徴とする請求項8に記載の
マイクロアレイ。
【手続補正書】
【提出日】平成16年1月19日(2004.1.19)
【手続補正１】
【補正対象書類名】特許請求の範囲
【補正対象項目名】全文
【補正方法】変更
【補正の内容】
【特許請求の範囲】
【請求項１】
光学マーク読取機により読み取られる表記カードにおいて、
前記表記カードの各質問項目の各答案には、それぞれ複数の区画された表記領域が形成されていることを特徴とする表記カード。
【請求項２】
前記複数の表記領域は、互いに異なる直径を有する複数の円形マークとして区分されることを特徴とする、請求項１に記載の表記カード。
【請求項３】
光学マーク読取機の読取ユニットＵにおいて、
表記マークを透過又は反射した光を感応する光感応素子；及び
前記光感応素子からの出力信号をそれぞれ感応した光量に対応される出力信号値に変換して中央処理装置ＣＰＵに伝送するカウンタを備え、
前記中央処理装置ＣＰＵは、前記カウンタからの出力信号値のうち、その大きさの順に選択された所定の個数の値に基づいて前記表記マークに対しプログラム的に処理される論理演算により正誤答をチェックすることを特徴とする読取ユニット。
【請求項４】
前記表記マークには、それぞれ複数の区画された表記領域が形成されていることを特徴とする請求項３に記載の読取ユニット。
【請求項５】
前記光感応素子は、二進処理を行う複数のフォトセルを有するＣＣＤ素子；ＣＤ及びＣＭＯＳ素子のうちいずれか一つを含むイメージ感応素子であることを特徴とする請求項３に記載の読取ユニット。
【請求項６】
前記カウンタは、前記光感応素子からの出力信号に基づいてマーキングが感知された回数をカウントし、
前記中央処理装置ＣＰＵは、前記カウンタによりカウントされた回数に基づいてマーキングされた領域の大きさを決定し、前記決定された大きさに基づいて正誤答をチェックすることを特徴とする請求項３に記載の読取ユニット。
【手続補正書】
【提出日】平成17年4月20日(2005.4.20)
【手続補正１】
【補正対象書類名】明細書
【補正対象項目名】００２８
【補正方法】変更
【補正の内容】
【００２８】
図１は、赤外光用の光透過部２を有する本発明の装置１を示す。この光透過部２は、赤外スペクトル測定法を実施するために減衰全反射の原理にしたがって使用される。この場合、光透過部２は、一方の第１板３に対して配置されている。この第１板は、この第１板３に対して回転移動する第２板４と共に中間空間５を包囲する。この中間空間５は、検査すべき材料６を収容するために使用される。このため、材料６は、板３，４によって挟持下で設置される。このとき検出された流動特性及び赤外スペクトル測定法の測定結果が、引き続き特に比較観察の目的で使用される。この同時に実施すべき検査で望まない悪影響を阻止するため、光透過部２は、板３の表面７と同一平面上で終わる透過部８、例えばダイヤモンドによって密閉されている。その結果、装置１は、ほぼ磨耗なしに不変に使用可能である。１回又は多数回の内部反射が、透過部８の大きさに応じて透過部８と材料６との間の境界面で発生する。
【手続補正２】
【補正対象書類名】明細書
【補正対象項目名】００２９
【補正方法】変更
【補正の内容】
【００２９】
図２中に示された装置９の場合、第１板３が、透過部１０で密閉されている。反射スペクトル法を実施するための赤外光が、鋭角で透過部１０を通じて中間空間５内に到達する。それ故に、赤外光の所望の反射は、材料６の通過後に第２板４の反射面で発生する。この赤外光は、反射面１１で光透過部１２の方向に反射する。このとき発生した反射スペクトルが、図示しなかったセンサによって検出され、流動検査の補足と比較観察のために制御ユニットに供給される。この場合、光透過部１２は、任意の幾何学形状を有しうる。
【手続補正書】
【提出日】平成17年4月27日(2005.4.27)
【手続補正１】
【補正対象書類名】特許請求の範囲
【補正対象項目名】請求項２６
【補正方法】変更
【補正の内容】
【請求項２６】
動物の疾患または障害を治療するための医薬の製造における、請求項１〜２２のいずれか１項に記載の化合物の使用。
【手続補正２】
【補正対象書類名】特許請求の範囲
【補正対象項目名】請求項２７
【補正方法】変更
【補正の内容】
【請求項２７】
生物活性物質Dを、それによる治療を必要とする細胞に送達するための組成物であって、請求項１〜２２のいずれか１項に記載の化合物を含んでなり、式Iがin vivoで細胞外にて加水分解されて、式(I-i)：
【化７】
2005500997.tif 000001
[式中、L1＊は、ポリマー残基(R1)の加水分解後のL1の残部である]
で表される化合物が生じ、その後、式(I-i)で表される化合物が自然に式(I-ii)：
【化８】
2005500997.tif 000002
で表される化合物および式I-(iii)：
Z-[D]y
で表される化合物に加水分解され、Z-[D]yが細胞膜を横切って細胞内で加水分解されてDが放出されることを特徴とする、組成物。
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
アズラクトン官能化担体を提供する工程と、
前記アズラクトン官能化担体をリンカー分子と反応させて、前記アズラクトン官能化担体に結合されたリンカーを有するリンカー官能化担体を生成させる工程と、
前記リンカー官能化担体を有機分子と反応させて、前記リンカーと有機分子との間で共有結合を形成させる工程と、
前記共有結合有機分子上で一つ以上の反応を実施して、誘導有機分子を生成させる工程と、
を含む固相合成の方法。
【請求項２】
アミン変性アズラクトン官能化担体を提供する工程と、
前記アミン変性アズラクトン官能化担体をリンカー分子と反応させて、前記アミン変性アズラクトン官能化担体に結合されたリンカーを有するリンカー官能化担体を生成させる工程と、
前記リンカー官能化担体上で一つ以上の反応を実施する工程と、
を含む固相合成の方法。
【請求項３】
式
ＳＳ−［ＮＨ−（Ｃ（Ｒ1）（Ｒ2））p−Ｃ（Ｒ3）（Ｒ4）（ＯＲ7）］m
（式中、
ＳＳは担体材料を表し、
Ｒ3およびＲ4の少なくとも一方が芳香族基であることを条件として、Ｒ1、Ｒ2、Ｒ3およびＲ4はそれぞれ独立して水素または有機基であり、
Ｒ7は水素または有機基であり、
ｐは少なくとも１であり、
ｍは１ないし担体材料の樹脂容量である。）
を有する官能化担体材料。
【請求項４】
式
ＳＳ−［Ｃ（Ｏ）−ＮＨ−Ｃ（Ｒ5）（Ｒ6）−（ＣＨ2）n−Ｃ（Ｏ）−ＮＨ−（Ｃ（Ｒ1）（Ｒ2））p−Ｃ（Ｒ3）（Ｒ4）（ＯＲ7）］m
（式中、
ＳＳは担体材料を表し、
Ｒ3およびＲ4の少なくとも一方が芳香族基であることを条件として、Ｒ1、Ｒ2、Ｒ3およびＲ4はそれぞれ独立して水素または有機基であり、
Ｒ7は水素または有機基であり、
Ｒ5およびＲ6はそれぞれ独立して有機基であり、
ｎは０〜１であり、
ｐは少なくとも１であり、
ｍは１ないし担体材料の樹脂容量である。）
を有する官能化担体。
【請求項５】
式
ＳＳ−［Ｃ（Ｏ）−ＮＨ−Ｃ（Ｒ5）（Ｒ6）−（ＣＨ2）n−Ｃ（Ｏ）−ＮＨ−（Ｒ8）−ＮＨ−Ｃ（Ｏ）−Ｒ9］m
（式中、
ＳＳは担体材料を表し、
Ｒ5、Ｒ6およびＲ9はそれぞれ独立して有機基であり、
Ｒ8は有機接続基であり、
ｎは０〜１であり、
ｍは１ないし担体材料の樹脂容量である。）
を有する官能化担体。
【請求項６】
コンビナトリアルライブラリーを形成する、請求項３〜５のいずれか１項に記載の官能化担体。
【手続補正書】
【提出日】平成17年3月28日(2005.3.28)
【手続補正１】
【補正対象書類名】特許請求の範囲
【補正対象項目名】全文
【補正方法】変更
【補正の内容】
【特許請求の範囲】
【請求項１】
アミノ糖を含む捕獲活性成分を含有する、動物またはヒトにおける疾病または症状の関節内治療のための、注射製剤。
【請求項２】
上記疾病または症状が、関節炎、軟骨関連スポーツ損傷、または軟骨分解から選択される、請求項１に記載の製剤。
【請求項３】
上記活性成分が、Ｎ−アセチルグルコサミン、グルコサミン、ガラクトサミン、Ｎ−アセチルガラクトサミンまたはイミノサイクリトール、並びにそれらの医薬上許容される塩から選択されるアミノ糖である、請求項１に記載の製剤。
【請求項４】
上記活性成分が、リポソームにより捕獲されている、請求項１に記載の製剤。
【請求項５】
上記活性成分が、ミクロスフェアにより捕獲されている、請求項１に記載の製剤。
【請求項６】
上記活性成分が、固形脂質ナノ粒子により捕獲されている、請求項１に記載の製剤。
【請求項７】
ヒアルロン酸、ポリエチレングリコール、ポリエチレングリコールとポリ（乳酸／グリコール酸）とのコポリマー、ポリ（エチレングリコール−γ−（ＤＬ−乳酸−コ−グリコール酸）のコポリマー、アルギナートゲル、キチン類およびキトサン類からなる群から選択される１種または２種以上の重合担体をさらに含有する、請求項１に記載の製剤。
【請求項８】
製剤が鎮痛剤である、請求項１に記載の製剤。
【請求項９】
関節炎が、骨関節炎またはリウマチ性関節炎である、請求項２に記載の製剤。
【請求項１０】
リポソームにより捕獲されているアミノ糖を含有する注射製剤であって、
該リポソームが、ジステアロイルＬ−α−ホスファチジルコリン、ジステアロイル−Ｌ−α−ホスファチジル−エタノールアミン、メトキシポリエチレングリコールと結合したジステアロイルＬ−α−ホスファチジル−エタノールアミン、ジステアロイル−Ｌ−α−ホスファチジル−ＤＬ−グリセロールおよびジパルミトイルＬ−α−ホスファチジル−Ｌ−セリンから選択される１種または２種以上の脂質を含有する、上記注射製剤。
【請求項１１】
上記アミノ糖が、Ｎ−アセチルグルコサミン、グルコサミン、ガラクトサミン、Ｎ−アセチルガラクトサミンまたはイミノサイクリトールおよびその医薬上許容される塩から選択される、請求項１０に記載の製剤。
【請求項１２】
上記リポソームが、一重または多重ラメラであり、且つ１００ｎｍ以上の平均径を有する、請求項１０に記載の製剤。
【請求項１３】
上記ヒアルロン酸が、約４００〜約１０，０００，００ダルトンの分子量を有する、請求項７に記載の製剤。
【請求項１４】
ミクロスフェアにより捕獲されているアミノ糖を含有する関節炎の関節内処置用注射製剤であって、
該ミクロスフェアがポリ（乳酸−グリコール酸）コポリマーおよびその医薬上許容される塩を含有する、上記注射製剤。
【請求項１５】
哺乳動物における疾病または症状を治療するための放出制御医薬を製造するための、アミノ糖の使用。
【請求項１６】
上記疾病または症状が、関節炎、軟骨関連スポーツ損傷、または軟骨分解から選択される、請求項１５に記載の使用。
【請求項１７】
更に、痛みの軽減を含む、請求項１５に記載の使用。
【請求項１８】
上記医薬が、医薬的に許容されるゲル、クリーム、ローションまたは貼布剤の形態で、局所投与される、請求項１５に記載の使用。
【請求項１９】
上記関節炎が、骨関節炎またはリウマチ性関節炎である、請求項１６に記載の使用。
【請求項２０】
上記放出制御医薬が、リポソーム、ミクロスフェアまたは固形脂質ナノ粒子の少なくとも１種を含む、請求項１５に記載の使用。
【請求項２１】
哺乳動物における関節炎を治療するためのリポソーム医薬を製造するための、アミノ糖の使用。
【請求項２２】
上記リポソーム医薬が、ジステアロイルＬ−α−ホスファチジルコリン、ジステアロイル−Ｌ−α−ホスファチジル−エタノールアミン、メトキシポリエチレングリコールと結合したジステアロイルＬ−α−ホスファチジル−エタノールアミン、ジステアロイルＬ−α−ホスファチジル−ＤＬ−グリセロールおよびジパルミトイルＬ−α−ホスファチジル−Ｌ−セリンから選択される１種または２種以上の脂質を含有する、請求項２１に記載の使用。
【請求項２３】
上記リポソーム医薬が痛みの軽減をもたらす、請求項２１に記載の使用。
【請求項２４】
哺乳動物における関節炎の関節内注射による治療のためのリポソーム医薬を製造するための、Ｎ−アセチルグルコサミンの使用であって、
該リポソームが、ジステアロイルＬ−α−ホスファチジルコリン、ジステアロイル−Ｌ−α−ホスファチジル−エタノールアミン、メトキシポリエチレングリコールと結合したジステアロイルＬ−α−ホスファチジル−エタノールアミン、ジステアロイルＬ−α−ホスファチジル−ＤＬ−グリセロールまたはジパルミトイルＬ−α−ホスファチジル−Ｌ−セリン、またはそれらいずれかの組合せを含有する、使用。
【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
ヌクレオシド類似体に耐性であるＢ型肝炎ウイルスにより起きるか、またはヌクレオシド類似体に耐性であるＢ型肝炎ウイルスが発症もしくは進行に関与する感染性疾患の予防または治療のための、１種類以上のフィランタス属（Ｐｈｙｌｌａｎｔｈｕｓ）構成部分またはそれから得られる物質もしくは物質混合物を含む医薬組成物。
【請求項２】
感染性疾患が黄熱病、硬変症および肝細胞癌である、請求項１に記載の医薬組成物。
【請求項３】
１種類以上のフィランタス属（Ｐｈｙｌｌａｎｔｈｕｓ）構成部分またはそれから得られる物質もしくは物質混合物が、フィランタス・アマラス（Ｐｈｙｌｌａｎｔｈｕｓ  ａｍａｒｕｓ）、フィランタス・ニルリ（Ｐｈｙｌｌａｎｔｈｕｓ  ｎｉｒｕｒｉ）、フィランタス・エンブリカ（Ｐｈｙｌｌａｎｔｈｕｓ  ｅｍｂｌｉｃａ）、フィランタス・ウリナリア（Ｐｈｙｌｌａｎｔｈｕｓ  ｕｒｉｎａｒｉａ）、フィランタス・アシダス（Ｐｈｙｌｌａｎｔｈｕｓ  ａｃｉｄｕｓ）、フィランタス・アキュミナタス（Ｐｈｙｌｌａｎｔｈｕｓ  ａｃｕｍｉｎａｔｕｓ）およびフィランタス・レティキュラタス（Ｐｈｙｌｌａｎｔｈｕｓ  ｒｅｔｉｃｕｌａｔｕｓ）、または複数のこれらのフィランタス属種に由来する、請求項１または２に記載の医薬組成物。
【請求項４】
ヌクレオシド類似体に耐性であるＢ型肝炎ウイルスが逆転写酵素に１以上の変異を示す、請求項１ないし３のいずれか１項に記載の医薬組成物。
【請求項５】
１以上の変異が、５５２位またはそれに相当する位置におけるメチオニンのイソロイシン置換を含む、請求項４に記載の医薬組成物。
【請求項６】
予防または治療が１種類以上のウイルス酵素の阻害を含む、請求項１ないし５のいずれか１項に記載の医薬組成物。
【請求項７】
阻害が１種類以上のウイルス酵素のプロセシングの阻害を含む、請求項６に記載の医薬組成物。
【請求項８】
酵素が逆転写酵素である、請求項６または７に記載の医薬組成物。
【請求項９】
逆転写酵素が、５５２位またはそれに相当する位置におけるメチオニンのイソロイシン置換を示す、請求項８に記載の医薬組成物。
【請求項１０】
ヌクレオシド類似体が、ラミブジンおよびファムシクロビルよりなる群から選択される、請求項１〜９のいずれか１項に記載の医薬組成物。
【請求項１１】
フィランタス属（Ｐｈｙｌｌａｎｔｈｕｓ）の構成部分が、生薬、葉、樹皮、花、種子、果実、茎、枝、幹、根および木質部を含む、請求項１〜１０のいずれか１項に記載の医薬組成物。
【請求項１２】
物質または物質混合物が、アルカロイド、タンニン、リグナン、セスキテルペン、トリテルペンおよび青酸配糖体よりなる群から選択される、請求項１〜１１のいずれか１項に記載の医薬組成物。
【請求項１３】
物質または物質混合物の抽出に際して水性、非極性、分枝鎖または直鎖の炭化水素をｎ−ヘキサンと共に用いる、請求項１２に記載の医薬組成物。
【請求項１４】
炭化水素がＣ５〜Ｃ１０の骨格を有する、請求項１３に記載の医薬組成物。
【請求項１５】
物質または物質混合物の抽出に際してアルコール類および／またはその混合物を用いる、請求項１２に記載の医薬組成物。
【請求項１６】
用いるアルコール類が短鎖第一級Ｃ１〜Ｃ４アルコールおよび／またはその混合物である、請求項１５に記載の医薬組成物。
【請求項１７】
用いるアルコール類がメタノールおよび／またはエタノールである、請求項１６に記載の医薬組成物。
【請求項１８】
１種類以上のフィランタス属（Ｐｈｙｌｌａｎｔｈｕｓ）構成部分またはそれから得られる物質もしくは物質混合物を他の有効薬剤と組み合わせて使用する、請求項１〜１７のいずれか１項に記載の医薬組成物。
【請求項１９】
他の有効薬剤が、インターフェロンα、インターフェロンβ、インターフェロンγおよびリバビリンよりなる群から選択される、請求項１８に記載の医薬組成物。
【請求項２０】
注入用液剤、注射用液剤、錠剤、軟膏剤、医療用パック剤、顆粒剤、栄養補助剤または浣腸剤の形である、請求項１〜１９のいずれか１項に記載の医薬組成物。
【請求項２１】
経口、局所または非経口投与により適用するための、請求項１〜２０のいずれか１項に記載の医薬組成物。
【請求項２２】
ヌクレオシド類似体に耐性であるＢ型肝炎ウイルスにより起きるか、またはヌクレオシド類似体に耐性であるＢ型肝炎ウイルスが発症もしくは進行に関与する感染性疾患の予防または治療に用いる医薬の調製のための、１種類以上のフィランタス属（Ｐｈｙｌｌａｎｔｈｕｓ）構成部分またはそれから得られる物質もしくは物質混合物の使用。
【請求項２３】
ヌクレオシド類似体に耐性であるＢ型肝炎ウイルスの増殖を阻害する方法であって、１種類以上のフィランタス属（Ｐｈｙｌｌａｎｔｈｕｓ）構成部分またはそれから得られる物質もしくは物質混合物を該ウイルスと接触させることを含むが、但し該方法はヒトの体内では実施されない、前記方法。
【請求項２４】
阻害をエクスビボまたはインビトロで行う、請求項２３に記載の方法。
【請求項２５】
ヌクレオシド類似体が、ラミブジンおよびファムシクロビルよりなる群から選択される、請求項２３または２４に記載の方法。